【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
ネットワークを介して接続する画像形成装置から出力を行うために、画像データを生成する情報処理装置であって、
ユーザを認証するための認証情報の入力を受付けるＩＤ情報入力手段と、
前記認証情報を前記画像データに付加する認証情報付加手段と、
前記認証情報に基づいて、画像形成装置による前記画像データの出力を制御するための出力制限情報を生成する生成手段と、
前記ネットワークに接続する一の画像形成装置を選択する選択手段と、
前記認証情報が付加された画像データと、前記出力制限情報とを、前記ネットワークに接続し、前記画像形成装置に対するデータの送信を制御する装置に出力する出力手段と
を備えることを特徴とする情報処理装置。
【請求項２】
ネットワークを介して接続する画像形成装置から出力を行うために、受信した画像データを含むデータの送信を制御する情報処理装置であって、
受信した画像データに、ユーザを認証するための認証情報が付加されているか否かを判別する判別手段と、
前記判別手段により、前記画像データに前記認証情報が付加されていると判別された場合、出力先として選択されている画像形成装置に設定されているセキュリティ認証レベルを判定する制御手段と、
前記制御手段の判定に従い、選択されている前記画像形成装置に対する、前記画像データを含むデータの送信を制御する送信制御手段と
を備えることを特徴とする情報処理装置。
【請求項３】
前記画像形成装置のセキュリティ認証レベルの判定として、前記画像データに付加されている認証情報を前記画像形成装置が認証できないと前記制御手段が判定する場合、
前記送信制御手段は、前記画像データを含むデータを前記出力先として選択されている画像形成装置に送信しない
ことを特徴とする請求項２に記載の情報処理装置。
【請求項４】
前記認証情報には、前記ユーザの指紋、網膜パターン、音声に関する特徴量データが含まれることを特徴とする請求項１乃至３のいずれか１項に記載の情報処理装置。
【請求項５】
前記認証情報の情報量に基づいて、当該認証情報の内容を識別する認証情報識別手段を更に備え、
前記制御手段は、前記認証情報識別手段の識別に従って、前記出力先として選択されている画像形成装置に設定されているセキュリティ認証レベルを判定することを特徴とする請求項２または３に記載の情報処理装置。
【請求項６】
画像データの出力を、ユーザを認証するための認証情報と、前記画像データの出力を制御するための出力制限情報と、に基づいて制御する画像形成装置であって、
受信した前記画像データに、ユーザを認証するための認証情報が付加されているか否か判別する付加判別手段と、
認証情報入力手段から入力された認証情報と、前記付加判別手段により判別された前記画像データに付加されている認証情報と、が一致するか否か判定する判定手段と、
前記認証情報入力手段から入力された認証情報と、前記付加判別手段により判別された前記認証情報とが一致している場合、前記出力制限情報に基づいて、前記画像データの画像形成を制御する画像形成制御手段と
を備えることを特徴とする画像形成装置。
【請求項７】
前記出力制限情報には、前記画像形成制御手段における印刷機能を制限するための情報が含まれること特徴とする請求項６に記載の画像形成装置。
【請求項８】
前記出力制限情報には、前記画像形成制御手段における画像形成出力の印刷範囲を制限するための情報が含まれることを特徴とする請求項６に記載の画像形成装置。
【請求項９】
前記出力制限情報には、前記情報処理装置から前記画像データを取得する回数を制限するための情報が含まれることを特徴とする請求項６に記載の画像形成装置。
【請求項１０】
受信した画像データを含むデータの送信を制御する情報処理装置と、ネットワークを介してデータの送受信を行う通信手段を更に備え、
前記認証情報が一致しない場合、当該通信手段は、前記情報処理装置に格納されている前記画像データに対するアクセスを禁止することを特徴とする請求項６に記載の画像形成装置。
【請求項１１】
前記認証情報が一致した場合に、前記画像形成制御手段は、暗号化された画像データを、出力制限情報に基づいて復号化するための制御を行い、当該認証情報が一致ない場合に、前記画像形成制御手段は暗号化された画像データの復号化を禁止する制御を行うことを特徴とする請求項６に記載の画像形成装置。
【請求項１２】
第１情報処理装置と、第２情報処理装置と、複数の画像形成装置と、を備える画像形成システムであって、
前記第１情報処理装置は、
ユーザを認証するための認証情報の入力を受付けるＩＤ情報入力手段と、
前記認証情報を前記画像データに付加する認証情報付加手段と、
前記認証情報に基づいて、画像形成装置による前記画像データの出力を制御するための出力制限情報を生成する生成手段と、
前記ネットワークに接続する一の画像形成装置を選択する選択手段と、
前記認証情報が付加された画像データと、前記出力制限情報とを、前記ネットワークに接続し、前記画像形成装置に対するデータの送信を制御する前記第２情報処理装置に出力する出力手段とを備え、
前記第２情報処理装置は、
受信した画像データに、ユーザを認証するための認証情報が付加されているか否かを判別する判別手段と、
前記判別手段により、前記画像データに前記認証情報が付加されていると判別された場合、出力先として選択されている画像形成装置に設定されているセキュリティ認証レベルを判定する制御手段と、
前記制御手段の判定に従い、を選択されている前記画像形成装置に対する、前記画像データを含むデータの送信を制御する送信制御手段とを備え、
前記画像形成装置は、
受信した前記画像データに、ユーザを認証するための認証情報が付加されているか否か判別する付加判別手段と、
認証情報入力手段から入力された認証情報と、前記付加判別手段により判別された前記画像データに付加されている認証情報と、が一致するか否か判定する判定手段と、
前記認証情報入力手段から入力された認証情報と、前記付加判別手段により判別された前記認証情報とが一致している場合、前記出力制限情報に基づいて、前記画像データの画像形成を制御する画像形成制御手段とを備える
ことを特徴とする画像形成システム。
【請求項１３】
ネットワークを介して接続する画像形成装置から出力を行うために、画像データを生成する情報処理方法であって、
ユーザを認証するための認証情報の入力を受付けるＩＤ情報入力工程と、
前記認証情報を前記画像データに付加する認証情報付加工程と、
前記認証情報に基づいて、画像形成装置による前記画像データの出力を制御するための出力制限情報を生成する生成工程と、
前記ネットワークに接続する一の画像形成装置を選択する選択工程と、
前記認証情報が付加された画像データと、前記出力制限情報とを、前記ネットワークに接続し、前記画像形成装置に対するデータの送信を制御する装置に出力する出力工程と
を備えることを特徴とする情報処理方法。
【請求項１４】
ネットワークを介して接続する画像形成装置から出力を行うために、受信した画像データを含むデータの送信を制御する情報処理方法であって、
受信した画像データに、ユーザを認証するための認証情報が付加されているか否かを判別する判別工程と、
前記判別工程により、前記画像データに前記認証情報が付加されていると判別された場合、出力先として選択されている画像形成装置に設定されているセキュリティ認証レベルを判定する制御工程と、
前記制御手段の判定に従い、選択されている前記画像形成装置に対する、前記画像データを含むデータの送信を制御する送信制御工程と
を備えることを特徴とする情報処理方法。
【請求項１５】
画像データの出力を、ユーザを認証するための認証情報と、前記画像データの出力を制御するための出力制限情報と、に基づいて制御する画像形成装置における画像形成方法であって、
受信した前記画像データに、ユーザを認証するための認証情報が付加されているか否か判別する付加判別工程と、
認証情報入力手段から入力された認証情報と、前記付加判別工程により判別された前記画像データに付加されている認証情報と、が一致するか否か判定する判定工程と、
前記認証情報入力手段から入力された認証情報と、前記付加判別工程により判別された前記認証情報とが一致している場合、前記出力制限情報に基づいて、前記画像データの画像形成を制御する画像形成制御工程と
を備えることを特徴とする画像形成方法。
【手続補正２】
【補正対象書類名】明細書
【補正対象項目名】００１１
【補正方法】変更
【補正の内容】
【００１１】
すなわち、ネットワークを介して接続する画像形成装置から出力を行うために、画像データを生成する情報処理装置は、
ユーザを認証するための認証情報の入力を受付けるＩＤ情報入力手段と、
前記認証情報を前記画像データに付加する認証情報付加手段と、
前記認証情報に基づいて、画像形成装置による前記画像データの出力を制御するための出力制限情報を生成する生成手段と、
前記ネットワークに接続する一の画像形成装置を選択する選択手段と、
前記認証情報が付加された画像データと、前記出力制限情報とを、前記ネットワークに接続し、前記画像形成装置に対するデータの送信を制御する装置に出力する出力手段と
を備えることを特徴とする。
【手続補正３】
【補正対象書類名】明細書
【補正対象項目名】００１２
【補正方法】変更
【補正の内容】
【００１２】
あるいは、ネットワークを介して接続する画像形成装置から出力を行うために、受信した画像データを含むデータの送信を制御する情報処理装置は、
受信した画像データに、ユーザを認証するための認証情報が付加されているか否かを判別する判別手段と、
前記判別手段により、前記画像データに前記認証情報が付加されていると判別された場合、出力先として選択されている画像形成装置に設定されているセキュリティ認証レベルを判定する制御手段と、
前記制御手段の判定に従い、選択されている前記画像形成装置に対する、前記画像データを含むデータの送信を制御する送信制御手段と
を備えることを特徴とする。
【手続補正４】
【補正対象書類名】明細書
【補正対象項目名】００１３
【補正方法】変更
【補正の内容】
【００１３】
あるいは、本発明にかかる画像形成装置は、画像データの出力を、ユーザを認証するための認証情報と、前記画像データの出力を制御するための出力制限情報と、に基づいて制御する画像形成装置であって、
受信した前記画像データに、ユーザを認証するための認証情報が付加されているか否か判別する付加判別手段と、
認証情報入力手段から入力された認証情報と、前記付加判別手段により判別された前記画像データに付加されている認証情報と、が一致するか否か判定する判定手段と、
前記認証情報入力手段から入力された認証情報と、前記付加判別手段により判別された前記認証情報とが一致している場合、前記出力制限情報に基づいて、前記画像データの画像形成を制御する画像形成制御手段と
を備えることを特徴とする。